(57)【要約】【課題】複数の表示器とその表示制御回路との間を接続するための信号線数を簡単な回路構成で低減し、これにより装置の小型化と設計する上での自由度の向上を図る。【解決手段】表示データ伝送用として１系統分の信号線を有する信号線ケーブル７を用意し、メイン表示制御ユニット１２に切替スイッチ１５と切替スイッチ制御回路１６を設けることで、メインＬＣＤ制御回路１４とメインＬＣＤ４との間、及びサブ表示制御ユニット１３とサブＬＣＤ６との間を、信号線ケーブル７により択一的に接続する。【選択図】      図４
2006047932.tif 000002
【特許請求の範囲】
【請求項１】
第１の表示器と、
前記第１の表示器における表示動作を制御する第１の表示制御回路と、
前記第１の表示器に対し独立して設けられる第２の表示器と、
前記第２の表示器における表示動作を制御する第２の表示制御回路と、
前記第１の表示器と前記第２の表示器により共用される、１系統分の信号線を有する信号伝送路と、
前記第１の表示器と第１の表示制御回路との間、及び前記第２の表示器と第２の表示制御回路との間を、前記信号伝送路により択一的に接続する切替回路と、
前記第１及び第２の表示制御回路による表示制御と連動して、前記切替回路を切替制御する切替制御回路と
を具備することを特徴とする表示装置。
【請求項２】
前記切替回路及び切替制御回路の少なくとも一方は、前記第１及び第２の表示制御回路のいずれか一方と共に集積化されて１個の回路モジュールを構成することを特徴とする請求項１記載の表示装置。
【請求項３】
前記第１の表示制御回路、第２の表示制御回路及び前記切替制御回路は、
前記信号伝送路を前記第１の表示器と第１の表示制御回路との間を接続する第１の状態から前記第２の表示器と第２の表示制御回路との間を接続する第２の状態に切り替える場合に、
前記第１の表示器のチップセレクトを無効にしたのち当該第１の表示器に対する表示データの伝送をオフし、しかるのち前記切替回路により前記信号伝送路を前記第１の状態から第２の状態に切り替え、続いて前記第２の表示器への表示データの供給を開始したのち、当該第２の表示器のチップセレクトを有効にすることを特徴とする請求項１記載の表示装置。
【請求項４】
前記第１及び第２の表示器の少なくとも一方に設けられ、前記第１及び第２の表示制御回路から前記信号伝送路を介して伝送される表示データを保持し、この保持された表示データを前記切替回路が切り替えられた後も継続して前記第１及び第２の表示器に供給する表示保持回路を、さらに具備することを特徴とする請求項１記載の表示装置。
【請求項５】
前記第１の表示制御回路、第２の表示制御回路及び前記切替制御回路は、
前記表示保持回路に第１の表示データが保持されている状態で、前記切替回路を定期的に切り替えて第２の表示データを前記表示保持回路に伝送し、当該表示保持回路に保持されている第１の表示データを前記第２の表示データに更新する手段を備えることを特徴とする請求項４記載の表示装置。
【請求項６】
前記第１の表示制御回路、第２の表示制御回路及び前記切替制御回路は、
前記表示保持回路に第１の表示データが保持されている状態で、当該第１の表示データの更新の要否を判定する手段と、
前記第１の表示データを更新する必要があると判定された時点で、前記切替回路を切り替えて第２の表示データを前記表示保持回路に伝送し、当該表示保持回路に保持されている第１の表示データを前記第２の表示データに更新する手段と
を備えることを特徴とする請求項４記載の表示装置。
【請求項７】
第１の筐体と第２の筐体とを接続機構を介して接続した携帯型電子機器において、
前記第１の筐体に設けられる第１及び第２の表示器と、
前記第２の筐体に設けられる第１及び第２の表示制御回路と、
前記第１及び第２の筐体間に前記接続機構を通して配線され、前記第１の表示器と前記第２の表示器により共用される、１系統分の信号線を有する信号ケーブルと、
前記第１の表示器と第１の表示制御回路との間、及び前記第２の表示器と第２の表示制御回路との間を、前記信号ケーブルにより択一的に接続する切替回路と、
前記第１及び第２の表示制御回路による表示制御と連動して、前記切替回路を切替制御する切替制御回路と
を具備することを特徴とする携帯型電子機器。
【請求項８】
前記切替回路及び前記切替制御回路の少なくとも一方は、前記第１及び第２の表示制御回路のいずれか一方と共に集積化されて１個の回路モジュールを構成することを特徴とする請求項７記載の携帯型電子機器。
【請求項９】
前記第１の表示制御回路、第２の表示制御回路及び前記切替制御回路は、
前記信号ケーブルを前記第１の表示器と第１の表示制御回路との間を接続する第１の状態から前記第２の表示器と第２の表示制御回路との間を接続する第２の状態に切り替える場合に、
先ず前記第１の表示器のチップセレクトを無効にしたのち当該第１の表示器に対する表示データの伝送をオフし、しかるのち前記切替回路により前記信号ケーブルを前記第１の状態から第２の状態に切り替え、続いて前記第２の表示器への表示データの供給を開始したのち、当該第２の表示器のチップセレクトを有効にすることを特徴とする請求項７記載の携帯型電子機器。
【請求項１０】
前記第１及び第２の表示器の少なくとも一方に設けられ、前記第１及び第２の表示制御回路から前記信号伝送路を介して伝送される表示データを保持し、この保持された表示データを前記切替回路が切り替えられた後も継続して前記第１及び第２の表示器に供給する表示保持回路を、さらに具備することを特徴とする請求項７記載の携帯型電子機器。
【請求項１１】
前記第１の表示制御回路、第２の表示制御回路及び前記切替制御回路は、
前記表示保持回路に第１の表示データが保持されている状態で、前記切替回路を定期的に切り替えて第２の表示データを前記表示保持回路に伝送し、当該表示保持回路に保持されている第１の表示データを前記第２の表示データに更新する手段を備えることを特徴とする請求項１０記載の携帯型電子機器。
【請求項１２】
前記第１の表示制御回路、第２の表示制御回路及び前記切替制御回路は、
前記表示保持回路に第１の表示データが保持されている状態で、当該第１の表示データの更新の要否を判定する手段と、
前記第１の表示データを更新する必要があると判定された時点で、前記切替回路を切り替えて第２の表示データを前記表示保持回路に伝送し、当該表示保持回路に保持されている第１の表示データを前記第２の表示データに更新する手段と
を備えることを特徴とする請求項１０記載の携帯型電子機器。
【発明の詳細な説明】
【技術分野】
【０００１】
この発明は、複数の表示器を有する表示装置と、この表示装置を備える携帯型電子機器に関する。
【背景技術】
【０００２】
近年、携帯型電子機器では、複数の表示器を有する表示装置を備えたものが多くなっている。例えば、第１の筐体と第２の筐体とをヒンジを介して回動可能に接続した折り畳み型の携帯端末では、第１の筐体の前面部にメインディスプレイを配設すると共に第１の筐体の背面部にサブディスプレイを配設している。そして、メインディスプレイには、送受信データや電話帳データ、端末の動作状態を示す各種制御情報等のすべての表示データが表示され、一方サブディスプレイには待ち受け状態でユーザに知らせるべき制御情報が表示される。なお、ディスプレイとしては一般にＬＣＤ（Liquid Crystal Display）が用いられる。
【０００３】
ところで、一般に携帯型電子機器に設けられる表示装置は、メインディスプレイ及びサブディスプレイにそれぞれ対応してメイン表示コントローラ及びサブ表示コントローラを設け、メイン表示コントローラとメインディスプレイとの間、及びサブ表示コントローラとサブディスプレイとの間をそれぞれ独立した信号線により接続している。このため、各ディスプレイと各表示コントローラとの間を接続するための信号線数が非常に多くなり、機器を設計する際の自由度が低下する。
【０００４】
特に、折り畳み型の携帯端末では、メインディスプレイ及びサブディスプレイは第１の筐体に、一方メイン表示コントローラ及びサブ表示コントローラは第２の筐体にそれぞれ配置される。このため、多数の信号線をヒンジに通さなければならず、その結果ヒンジの小型化や設計変更が困難になる。また、信号線数に応じてコネクタの端子数も増えるため、印刷配線基板や筐体の小型化も難しくなる。
【０００５】
一方、信号線数を減らすために、ＬＣＤドライバからＬＣＤパネルに伝送するＬＣＤ駆動信号を、出力回路から周辺回路に伝送するデータ信号と共に、共通の信号線により時分割的に伝送する技術が提案されている（例えば、特許文献１を参照。）。
【特許文献１】特開２０００−５６７３３公報
【発明の開示】
【発明が解決しようとする課題】
【０００６】
ところが、このような従来提案されている技術は、ＬＣＤパネルに伝送するＬＣＤ駆動信号及び周辺回路に伝送するデータ信号を共通の信号線により時分割伝送するものであり、複数の表示器へ伝送する表示データを共通の信号線を用いて伝送するものではない。また、時分割伝送のために時分割多重処理が必要となるため、処理が複雑で機器が高価になる。
【０００７】
この発明は上記事情に着目してなされたもので、その目的とするところは、複数の表示器とその表示制御回路との間を接続するための信号線数を簡単な回路構成で低減し、これにより装置の小型化と設計する上での自由度の向上を図った表示装置及び携帯型電子機器を提供することにある。
【課題を解決するための手段】
【０００８】
上記目的を達成するためにこの発明は、第１及び第２の表示器と、これらの表示器をそれぞれ制御する第１及び第２の表示制御回路と、上記第１の表示器と前記第２の表示器により共用される１系統分の信号線を有する信号伝送路とを備え、さらにこの信号伝送路の切替回路とその切替制御回路を備えている。そして、上記切替制御回路により、上記第１及び第２の表示制御回路による表示制御と連動して上記切替回路を切替制御することにより、上記第１の表示器と第１の表示制御回路との間、及び上記第２の表示器と第２の表示制御回路との間を、上記信号伝送路により択一的に接続するようにしたものである。
【０００９】
したがってこの発明によれば、第１及び第２の表示器間で、切替回路を用いただけの比較的簡単な回路構成により信号伝送路を共用することができる。このため、安価に装置の小型化を図ることができ、さらに設計上の自由度を高めることができる。特に、この発明に係わる表示装置を折り畳み構造の携帯型電子機器に用いた場合には、ヒンジの小型化や多節型のヒンジの採用が可能となり、これにより機器の種々の設計変更が容易となる。また、信号線数の低減に伴いコネクタの端子数も減るため、印刷配線基板や筐体の小型化も容易になる。
【００１０】
またこの発明は、上記切替回路及び切替制御回路の少なくとも一方を、第１及び第２の表示制御回路のいずれか一方と共に集積化して１個の回路モジュールに構成することを特徴とする。  
このように構成すると、例えば第１及び第２の表示制御回路の一方がカスタムＬＳＩにより構成される場合に、このカスタムＬＳＩに上記切替回路及び切替制御回路を組み込むことができる。この結果、切替回路及び切替制御回路を別に設ける場合に比べ、回路構成の簡単小型化を図ることができる。
【００１１】
さらにこの発明は、信号伝送路を第１の表示器と第１の表示制御回路との間を接続する第１の状態から第２の表示器と第２の表示制御回路との間を接続する第２の状態に切り替える場合に、第１の表示制御回路、第２の表示制御回路及び切替制御回路により、先ず上記第１の表示器のチップセレクトを無効にしたのち当該第１の表示器に対する表示データの伝送をオフし、しかるのち切替回路により信号伝送路を上記第１の状態から第２の状態に切り替え、続いて第２の表示器への表示データの供給を開始したのち、当該第２の表示器のチップセレクトを有効にすることを特徴とする。
【００１２】
このように構成すると、第１及び第２の表示器は、信号伝送路から切り離される場合にはチップセレクトが無効にされたのち切り離され、一方信号伝送路に接続される場合には接続がなされたのち最後にチップセレクトが有効にされる。このため、信号伝送路の切り替え時に発生する雑音等の影響を排除して、安定な表示を実現できる。
【００１３】
さらにこの発明は、第１及び第２の表示器の少なくとも一方に、第１及び第２の表示制御回路から信号伝送路を介して伝送される表示データを保持する表示保持回路をさらに設け、この表示保持回路に保持された表示データを、表示器が信号伝送路から切り離された後に継続して当該表示器に供給するように構成することも特徴とする。
【００１４】
このように構成すると、信号伝送路を共用しているにもかかわらず、第１及び第２の表示器に同時に表示データを表示させることが可能となる。例えば、折り畳み型の携帯端末では、筐体を開いた状態で着信が発生した場合、メインディスプレイとサブディスプレイの両方に着信報知情報を表示させる必要がある。このような場合、上記したようにメインディスプレイとサブディスプレイのいずれかに表示保持回路を設けて、この回路を表示バッファとして機能させることにより、メインディスプレイとサブディスプレイの同時表示が可能となる。
【００１５】
上記表示保持回路に保持される表示データの更新手段としては、次の２つの構成が考えられる。  
第１の構成は、表示保持回路に第１の表示データが保持されている状態で、切替回路を定期的に切り替えて第２の表示データを上記表示保持回路に伝送し、当該表示保持回路に保持されている第１の表示データを前記第２の表示データに更新するものである。  
このように構成すると、第１及び第２の表示器に同時に表示データを表示している状態で、表示保持回路を使用して表示されている表示データを定期的に更新することができる。
【００１６】
第２の構成は、表示保持回路に第１の表示データが保持されている状態で、当該第１の表示データの更新の要否を判定する。そして、第１の表示データを更新する必要があると判定された時点で、切替回路を切り替えて第２の表示データを上記表示保持回路に伝送し、当該表示保持回路に保持されている第１の表示データを上記第２の表示データに更新するものである。  
このように構成すると、第１及び第２の表示器に同時に表示データを表示している状態で、表示保持回路を使用して表示されている表示データを、当該表示データの内容が所定量以上変化した場合など、表示データの更新が必要となった時点でのみ更新することができる。
【発明の効果】
【００１７】
要するにこの発明によれば、信号伝送路の切替回路を設け、第１及び第２の表示器とこれらの表示器をそれぞれ制御する第１及び第２の表示制御回路との間を、１系統分の信号線を有する信号伝送路により択一的に接続するようにしたことによって、複数の表示器とその表示制御回路との間を接続するための信号線数を簡単な回路構成で低減することができ、これにより装置の小型化と設計する上での自由度の向上を図った表示装置及び携帯型電子機器を提供することができる。
【発明を実施するための最良の形態】
【００１８】
（第１の実施形態）  
図１乃至図３はこの発明の第１の実施形態に係わる表示装置を備えた携帯型電子機器の外観を示す斜視図である。この実施形態の携帯型電子機器は、上部筐体１と下部筐体２とをヒンジ機構３を介して回動可能に接続したいわゆる折り畳み型の携帯通信端末であり、図１は各筐体１，２を開いた状態を、図２は各筐体１，２を閉じた状態をそれぞれ示している。また、図３は上部筐体１と下部筐体２の内部構造を示す斜視図である。
【００１９】
上部筐体１には、その前面にメインＬＣＤ（Liquid Crystal Display）４が配設され、背面にサブＬＣＤ（Liquid Crystal Display）６が配設されている。一方、下部筐体２には、キー入力デバイス５等と共に主印刷配線基板９が収容されている。この主印刷配線基板９には、後述する主制御ユニット１０、メイン表示制御ユニット１２及びサブ表示制御ユニット１３が実装されている。そして、この主印刷配線基板９と上記各ＬＣＤ４，６との間は、信号線ケーブル７により接続される。信号線ケーブル７は、フレキシブル基板に複数の信号線パターンを形成し、かつ両端にコネクタ８ａ，８ｂを取着したもので、ヒンジ３内の空洞内を通して配線される。
【００２０】
一方、表示装置の制御回路は次のように構成される。図４はその回路構成を示すブロック図である。すなわち、表示装置の制御回路は、主制御ユニット１０と、メイン表示制御ユニット１２と、サブ表示制御ユニット１３とを備え、これらのユニット１０，１２，１３間はバス１１及び信号線を介して接続される。
【００２１】
主制御ユニット１０はメインＣＰＵを備え、このメインＣＰＵの制御の下で携帯通信端末の動作を統括的に制御する。サブ表示制御ユニット１３はサブＬＣＤ制御回路を有し、上記主制御ユニット１０の制御の下で、サブＬＣＤ６向けのチップセレクト信号及び表示データを後述するメイン表示制御ユニット１２を介してサブＬＣＤ６に供給し、サブＬＣＤ６に表示データを表示させる。
【００２２】
メイン表示制御ユニット１２は、メインＬＣＤ制御回路１４と、切替スイッチ１５と、切替スイッチ制御回路１６と、インタフェース１７とを集積化したカスタムＬＳＩにより構成される。メインＬＣＤ制御回路１４は、上記主制御ユニット１０の制御の下で、チップセレクト信号及び表示データを切替スイッチ１５及び信号線ケーブル７を介してメインＬＣＤ４に供給し、メインＬＣＤ４に表示データを表示させる。
【００２３】
切替スイッチ１５は、半導体スイッチを使用した汎用のセレクタであり、上記メインＬＣＤ制御回路１４とインタフェース１７とを択一的に信号線ケーブル７に接続する。切替スイッチ制御回路１６は、主制御ユニット１０から出力される切替制御データＴＳに従い切替信号ＳＳを生成し、この生成された切替信号ＳＳを上記切替スイッチ１５に供給して切替スイッチ１５を切替制御する。インタフェース１７は、上記サブ表示制御ユニット１３からチップセレクト信号及び表示データを受け取り、この受け取ったチップセレクト信号及び表示データを上記切替スイッチ１５及び信号線ケーブル７を介してサブＬＣＤ６に供給する。
【００２４】
次に、以上のように構成された携帯通信端末における表示動作を説明する。  
（１）携帯通信端末の筐体１，２が閉じられた状態での待ち受け時の表示動作  
携帯通信端末の筐体１，２が図２に示すように閉じられたときの待受状態では、サブＬＣＤ６にのみ端末の動作状態を表す表示データを表示するための制御が行われる。
【００２５】
すなわち、主制御ユニット１０は、先ずメイン表示制御ユニット１２の切替スイッチ制御回路１６に対し、サブＬＣＤ６を選択するための切替制御データＴＳを与える。この結果、切替スイッチ制御回路１６から切替信号ＳＳが出力されて切替スイッチ１５がインタフェース１７側に切り替わり、これによりサブ表示制御ユニット１３が信号線ケーブル７を介してサブＬＣＤ６に接続される。
【００２６】
次に主制御ユニット１０は、サブ表示制御ユニット１３に対しバス１１を介して、現在時刻、バッテリ残量及び受信品質を表す情報等を含む表示データを供給する。この表示データの供給を受けるとサブ表示制御ユニット１３は、先ず表示データを出力する。この表示データは、メイン表示制御ユニット１２のインタフェース１７で受信されたのち、このインタフェース１７から切替スイッチ１５及び信号線ケーブル７を介してサブＬＣＤ６に供給される。
【００２７】
続いてサブ表示制御ユニット１３は、上記表示データがサブＬＣＤ６に供給されて安定するまでに要する時間が経過したのちチップセレクト信号をオンにする。この結果、サブＬＣＤ６はアクティブ状態となり、以後サブＬＣＤ６には上記サブ表示制御ユニット１３から供給された表示データが表示される。  
なお、この状態で着信が発生した場合にも、上記待ち受け時の場合と同様にサブＬＣＤ６にのみ着信報知用の表示データが表示される。
【００２８】
（２）携帯通信端末の筐体１，２が開かれたときの表示動作  
送信や受信、或いはその他の操作のために、携帯通信端末の筐体１，２が図１に示す状態に開かれたとする。そうすると、表示を行うＬＣＤをサブＬＣＤ６からメインＬＣＤ４に切り替えるための制御が行われる。図６はその切替タイミングを表すタイムチャートである。
【００２９】
すなわち、主制御ユニット１０は先ずサブ表示制御ユニット１３に対し表示終了コマンドを与える。この結果、サブ表示制御ユニット１３は、図６に示すように先ずチップセレクト信号をオフにし、続いて表示データの供給を停止する。この結果サブＬＣＤ６における表示は停止される。
【００３０】
次に主制御ユニット１０は、メイン表示制御ユニット１２の切替スイッチ制御回路１６に対し、ＬＣＤをサブＬＣＤ６からメインＬＣＤ４に切り替えるための切替制御データＴＳを与える。この結果、切替スイッチ制御回路１６から切替信号ＳＳが出力されて切替スイッチ１５がインタフェース１７側からメインＬＣＤ制御回路１４側に切り替わり、これによりメインＬＣＤ制御回路１４が信号線ケーブル７を介してメインＬＣＤ４に接続される。
【００３１】
続いて主制御ユニット１０は、メインＬＣＤ制御回路１４に対しバス１１を介して、送信又は受信用の表示データを供給する。この表示データの供給を受けるとメインＬＣＤ制御回路１４は、先ず表示データを出力する。この表示データは、切替スイッチ１５及び信号線ケーブル７を介してメインＬＣＤ４に供給される。
【００３２】
次にメインＬＣＤ制御回路１４は、上記表示データがメインＬＣＤ４に供給されて安定するまでに要する時間が経過したのちチップセレクト信号をオンにする。この結果、メインＬＣＤ４はアクティブ状態となり、以後メインＬＣＤ４には上記メインＬＣＤ制御回路１４から供給された表示データが表示される。かくして、サブＬＣＤ６からメインＬＣＤ４への表示切替がなされる。
【００３３】
（３）携帯通信端末の筐体１，２が閉じられたときの表示動作  
送信又は受信、或いはその他の操作が終了して、携帯通信端末の筐体１，２が図２に示す状態に閉じられたとする。そうすると、表示を行うＬＣＤをメインＬＣＤ４からサブＬＣＤ６に切り替えるための制御が行われる。図５はその切替タイミングを表すタイミングチャートである。
【００３４】
すなわち、主制御ユニット１０は先ずメインＬＣＤ制御回路１４に対し表示終了コマンドを与える。この結果、サブ表示制御ユニット１３は、図５に示すように先ずチップセレクト信号をオフにし、続いて表示データの供給を停止する。この結果メインＬＣＤ４における表示は停止される。
【００３５】
続いて主制御ユニット１０は、メイン表示制御ユニット１２の切替スイッチ制御回路１６に対し、ＬＣＤをメインＬＣＤ４からサブＬＣＤ６に切り替えるための切替制御データＴＳを与える。この結果、切替スイッチ制御回路１６から切替信号ＳＳが出力されて切替スイッチ１５がメインＬＣＤ制御回路１４側からインタフェース１７側に切り替わり、これによりサブ表示制御ユニット１３がメイン表示制御ユニット１２内のインタフェース１７、切替スイッチ１５及び信号線ケーブル７を介してサブＬＣＤ６に接続される。
【００３６】
次に主制御ユニット１０は、サブ表示制御ユニット１３に対しバス１１を介して、端末の動作状態を表す表示データを供給する。サブ表示制御ユニット１３は、先ず表示データを出力する。この表示データは、メイン表示制御ユニット１２のインタフェース１７で受信されたのち、このインタフェース１７から切替スイッチ１５及び信号線ケーブル７を介してサブＬＣＤ６に供給される。
【００３７】
続いてサブ表示制御ユニット１３は、上記表示データがサブＬＣＤ６に供給されて安定するまでに要する時間が経過したのちチップセレクト信号をオンにする。この結果、サブＬＣＤ６はアクティブ状態となり、以後サブＬＣＤ６には上記サブ表示制御ユニット１３から供給された表示データが表示される。かくして、メインＬＣＤ４からサブＬＣＤ６への表示切り替えがなされる。
【００３８】
以上述べたように第１の実施形態では、表示データ伝送用として１系統分の信号線を有する信号線ケーブル７を用意し、メイン表示制御ユニット１２に切替スイッチ１５と切替スイッチ制御回路１６を設けることで、メインＬＣＤ制御回路１４とメインＬＣＤ４との間、及びサブ表示制御ユニット１３とサブＬＣＤ６との間を、信号線ケーブル７により択一的に接続するようにしている。
【００３９】
したがって、汎用のセレクタからなる切替スイッチ１５を用いただけの比較的簡単な回路構成により１系統の信号線ケーブル７を共用することができる。このため、信号線ケーブル７の信号線数の低減とコネクタ８ａ，８ｂの端子数の低減により、機器の小型化と設計上の自由度の向上が可能となる。例えば、ヒンジ３の小型化や多節型のヒンジの採用が可能となり、また印刷配線基板の小型化により携帯通信端末のさらなる小型化や形状変更等が可能となる。これらの効果は、ＬＣＤ４，６とその制御ユニット１２，１３を上下の各筐体１，２に分散して配置する折り畳み型の携帯通信端末にとってはきわめて有効である。
【００４０】
また本実施形態では、上記切替スイッチ１５及び切替スイッチ制御回路１６を、メインＬＣＤ制御回路１４等と共に集積化して１個のカスタムＬＳＩを構成しているので、切替スイッチ１５及び切替スイッチ制御回路１６をメインＬＣＤ制御回路１４と別に設ける場合に比べ、回路構成の簡単小型化を図ることができる。
【００４１】
さらに本実施形態では、メインＬＣＤ４及びサブＬＣＤ６を信号線ケーブル７から切り離す場合には切り替えに先立ちＬＣＤ４，６のチップセレクトが無効にし、一方メインＬＣＤ４及びサブＬＣＤ６に信号線ケーブル７を接続する場合には切り替えが終了したのちチップセレクトを有効にするようにしている。このため、信号線ケーブル７の切り替え時に発生する雑音等の影響を排除して、安定な表示動作を実現できる。
【００４２】
（第２の実施形態）  
図７は、この発明の第２の実施形態に係わる携帯通信端末の回路構成を示すブロック図である。なお、同図において図４と同一部分には同一符号を付して詳しい説明は省略する。  
上側筐体１Ａには、メインＬＣＤ４及びサブＬＣＤ６に対応付けて、表示バッファ２１，２２が設けられている。これらの表示バッファ２１，２２はそれぞれ、メインＬＣＤ制御回路１４及びサブ表示制御ユニット１３から信号線ケーブル７を介して供給された表示データを保持する。そして、この保持された表示データを信号線ケーブル７が切り離された後もメインＬＣＤ４及びサブＬＣＤ６に引き続き供給して表示を継続させるものである。
【００４３】
このような構成であるから次のような表示動作が可能となる。すなわち、例えば携帯通信端末の筐体１，２が開かれた状態で着信が発生した場合には、メインＬＣＤ４及びサブＬＣＤ６の両方に着信報知のための表示データを表示させる必要がある。しかし、メインＬＣＤ４及びサブＬＣＤ６により信号線ケーブル７を共用しているため、メインＬＣＤ４及びサブＬＣＤ６に対し同時に着信報知のための表示データを供給することはできない。
【００４４】
そこで、先ず切替スイッチ１５がインタフェース１７側に切り替えられ、これによりサブ表示制御ユニット１３がサブＬＣＤ６に接続される。そして、図８に示すようにサブ表示制御ユニット１３からサブＬＣＤ６に着信報知のための表示データが供給される。この結果、サブＬＣＤ６には上記供給された表示データが表示される。
【００４５】
次に、切替スイッチ１５がインタフェース１７側からメインＬＣＤ制御回路１４側に切り替えられ、これによりメインＬＣＤ制御回路１４がメインＬＣＤ４に接続される。そして、図８に示すようにメインＬＣＤ制御回路１４からメインＬＣＤ４に着信報知のための表示データが供給される。このため、メインＬＣＤ４には上記供給された表示データが表示される。
【００４６】
このとき、上記サブ表示制御ユニット１３からサブＬＣＤ６への表示データの供給は停止される。しかし、サブＬＣＤ６には表示バッファ２２が設けられており、この表示バッファ２２には上記停止直前の表示データが保持されている。そして、この保持された表示データが表示バッファ２２から読み出されてサブＬＣＤ６に供給される。このためサブＬＣＤ６における表示データの表示は継続される。
【００４７】
また、上記メインＬＣＤ４に表示データが供給されている状態で、予め設定した一定時間Ｔcontが経過すると、切替スイッチ１５がメインＬＣＤ制御回路１４側からインタフェース１７側に切り替えられ、これによりサブ表示制御ユニット１３が一定時間だけサブＬＣＤ６に接続される。そして、この状態でサブ表示制御ユニット１３からサブＬＣＤ６に更新された新たな表示データが供給される。この結果、表示バッファ２２に保持されている表示データは上記新たな表示データに更新され、これによりサブＬＣＤ６に表示されるデータも上記更新された新たな表示データに更新される。
【００４８】
なお、上記サブＬＣＤ６に表示させるデータの更新期間中にはメインＬＣＤ４への表示データの供給も断たれる。しかし、メインＬＣＤ４にも表示バッファ２１が設けられており、この表示バッファ２１には上記供給が断たれる直前の表示データが保持される。そして、この保持された表示データが表示バッファ２１からメインＬＣＤ４に供給される。このためメインＬＣＤ４における表示データの表示も継続される。
【００４９】
以後同様に、一定時間Ｔcont周期で一定時間だけ切替スイッチ１５がメインＬＣＤ制御回路１４側からインタフェース１７側に切り替えられ、これによりサブＬＣＤ６に表示されるデータは更新される。したがって、信号線ケーブル７を共用しているにもかかわらず、メインＬＣＤ４及びサブＬＣＤ６には、表示データを定期的に更新しつつ見かけ上同時に表示することが可能となる。
【００５０】
またこの第２の実施形態においても、信号線ケーブル７の接続先を切り替える際には、図５及び図６に示したように、ＬＣＤ４，６のチップセレクトを無効にしたのちＬＣＤ４，６から信号線ケーブル７が切り離され、一方ＬＣＤ４，６に信号線ケーブル７を接続したのちチップセレクトが有効に設定される。このように構成することで、前記第１の実施形態と同様に信号線ケーブル７の切り替え時に発生する雑音等の影響を排除して、安定な表示動作を実現できる。
【００５１】
（その他の実施形態）  
前記第２の実施形態では、サブＬＣＤ６に表示するデータを定期的に更新するようにした。しかしそれに限らず、メインＬＣＤ４への表示データの供給期間中にサブＬＣＤ６に表示すべきデータの更新の要否を判定し、更新が必要になった時点で更新処理を実行するように構成してもよい。図９は、この場合の表示データ供給タイミングの一例を示すタイムチャートである。
【００５２】
このように構成すると、サブＬＣＤ６の表示データの更新が必要となったときにのみ更新処理が行われる。このため、例えばサブＬＣＤ６にバッテリ残量や受信品質を表すピクト情報を表示しており、これらの情報が比較的安定しているときには、サブＬＣＤ６の表示データは頻繁に変化しないため、メインＬＣＤ４における表示の中断を減らして表示品質を高く保つことができる。
【００５３】
また第２の実施形態では、筐体を開いている状態で着信が発生した場合を例にとって説明した。しかし、これに限らずカメラを備えた携帯端末において、メインＬＣＤ及びサブＬＣＤを併用して撮影を行う場合にもこの発明を適用できる。要するに、メインＬＣＤ及びサブＬＣＤを併用して表示を行う機能を備えるものであれば、如何なるものに適用してもよい。
【００５４】
さらにこの発明は、折り畳み型の携帯通信端末以外に、ノート型のパーソナル・コンピュータや、携帯型のテレビジョン受信機、携帯型のゲーム機、携帯型のオーディオビデオプレーヤにも適用可能である。その他、第１の表示器と第２の表示器の配置関係や、表示器の種類、数、切替回路の種類、信号線ケーブルの種類や構成等についても、この発明の要旨を逸脱しない範囲で種々変形して実施できる。
【００５５】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５６】
【図１】この発明の第１の実施形態における折り畳み型携帯通信端末の筐体を開いた状態を示す斜視図。
【図２】この発明の第１の実施形態における折り畳み型携帯通信端末の筐体を閉じた状態を示す斜視図。
【図３】この発明の第１の実施形態における折り畳み型携帯通信端末の内部構造を示す斜視図。
【図４】この発明の第１の実施形態における折り畳み型携帯通信端末に設けられる表示装置の回路構成を示すブロック図。
【図５】図４に示した携帯通信端末の動作説明に使用するタイムチャート。
【図６】図４に示した携帯通信端末の動作説明に使用するタイムチャート。
【図７】この発明の第２の実施形態における携帯通信端末の回路構成を示すブロック図。
【図８】図７に示した携帯通信端末の動作説明に使用するタイムチャート。
【図９】この発明の他の実施形態における携帯通信端末の動作説明に使用するタイムチャート。
【符号の説明】
【００５７】
１…上部筐体、２…下部筐体、３…ヒンジ、４…メインＬＣＤ、５…キー入力デバイス、６…サブＬＣＤ、７…信号線ケーブル、８ａ，８ｂ…コネクタ、９…印刷反戦基板、１０…主制御ユニット、１１…バス、１２…メイン表示制御ユニット、１３…サブ表示制御ユニット、１４…メインＬＣＤ制御回路、１５…切替スイッチ、１６…切替スイッチ制御回路、１７…インタフェース、２１，２２…表示バッファ。
【図１】
2006047932.tif 000003
【図２】
2006047932.tif 000004
【図３】
2006047932.tif 000005
【図４】
2006047932.tif 000006
【図５】
2006047932.tif 000007
【図６】
2006047932.tif 000008
【図７】
2006047932.tif 000009
【図８】
2006047932.tif 000010
【図９】
2006047932.tif 000011